(57)【要約】      （修正有）【課題】  少ない構成部品で、回転収納可能且つユーザーに何ら特殊な動作を強いる事無く、持運び時には固定可能なハンドルを提供する。【解決手段】  回転軸部を有し、装置本体３１と一体的に形成された軸受け３４により回転可能に本体３１に支持されたハンドル３２を、持運び位置まででは回転動作のみ可能とし、持運び位置でのみ回転軸部が移動し、軸受け部３４に設けた形状３４ａと回転軸部に設けた形状３３ａと嵌合させる事で、持運び時のみハンドル３２の回転を規制しハンドル３２を固定させる。ハンドル３２の固定は摘みを操作するなどの特別な手段は用いず、回転軸部とハンドル３２が一連の持ち運ぶ為にハンドル３２を持ち上げる動作により移動し、角度固定させる。【選択図】  図６
2008053357.tif 000002
【特許請求の範囲】
【請求項１】
回転軸部が設けられ、装置本体に回転可能に支持されたハンドルと、
前記ハンドルを支持するために装置に設けられた前記回転軸部のための軸受け部とを有するハンドルのロック機構であって、
前記回転軸部が移動することにより、該回転軸部の回転をロックすることを特徴とするハンドルのロック機構。
【請求項２】
前記ハンドルが予め決められた位置まで回転すると前記回転軸部が移動可能となり、該回転軸部の回転をロックすることを特徴とする請求項１に記載のハンドルのロック機構。
【請求項３】
前記回転軸部には凸部、前記軸受け部には凹部が設けられ、
前記回転軸部の移動により、前記凸部と前記凹部が嵌合して、該回転軸部の回転がロックされることを特徴とする請求項１に記載のハンドルのロック機構。
【請求項４】
前記予め決められた位置は、前記装置を持ち上げるための位置であることを特徴とする請求項２に記載のハンドルのロック機構。
【請求項５】
画像のプリントを行うためのプリント手段を有するプリンタ装置であって、
回転軸部が設けられ、前記プリンタ装置本体に回転可能に支持されたハンドルと、
前記ハンドルを支持するために前記プリンタ装置に設けられた前記回転軸部のための軸受け部と、
回転軸部の位置を検出する検出手段とを有し、
予め決められた位置まで前記ハンドルの回転軸部が移動することにより、該回転軸部の回転をロックし、
前記検出手段により検出した回転軸部の位置に応じて、プリント手段によるプリント動作を制御することを特徴とするプリンタ装置。
【請求項６】
前記予め決められた位置は、前記ハンドルにより前記装置を持ち上げるための位置であることを特徴とする請求項５に記載のプリンタ装置。
【発明の詳細な説明】
【技術分野】
【０００１】
本発明は装置本体を持ち運ぶためのハンドルに関し、特に回転可能なハンドルに関するものである。
【背景技術】
【０００２】
従来、装置本体を運ぶ為に設けられたハンドルには、本体に固定され収納不可能なものや、可動的に装置本体に支持され収納可能とするものがある。可動的に装置本体に支持され収納可能なハンドルについては、装置本体に対しハンドルをスライド又は回転させ収納する構成が一般的である。
【０００３】
スライドさせハンドルを収納させる構成は、装置本体の一部にハンドルの収納及びスライドの為の部位を構成する必要があり、本体の小型化を阻害する要因となっていた。
【０００４】
また、回転収納するハンドルにおいては、スライド式の収納よりも小型な構成で実現可能であるが、持運び時にもハンドル部材が回転してしまう。そのため、回転しないように安全性を考慮し、回転ハンドルをロックする為の機構が開発されている（特許文献１参照）。
【特許文献１】特開２００３−４６２６３
【発明の開示】
【発明が解決しようとする課題】
【０００５】
しかしながら、上記従来例では、ハンドルを固定する為のロックと解除を切り替える為の機構が設けられている。そのため、ハンドルを収納状態から持運び位置まで回転させロックさせるときと、逆に、持運び後接地する場合にロック状態を解除し、ハンドルを回転させ収納するときにロック切り替え機構を操作することになる。つまり、ロック及び解除の度に切り替え機構を操作する必要があり、持運びのための動作数が多くなって不便であった。また、この切り替え機構により、ハンドルを構成する部品などが増え、コストアップの要因となっていた。
【０００６】
本発明はこのような問題を解決するため、ハンドルのロック及び解除の度に切り替え機構によりロック及び解除の操作を行わなくてもよい、操作性の良いハンドルを提供することを目的とする。
【課題を解決するための手段】
【０００７】
上記課題を解決する為に、本発明は以下の構成を有する。
【０００８】
回転軸部が設けられ、装置本体に回転可能に支持されたハンドルと、
ハンドルを支持するために装置に設けられた回転軸部のための軸受け部とを有するハンドルのロック機構であって、
回転軸部が移動することにより、回転軸部の回転をロックすることを特徴とする。
【発明の効果】
【０００９】
本発明によれば、回転可能なハンドルにおいて、回転軸部が移動することにより、回転軸部の回転をロックしている。そのため、ロックまたはロック解除の特別な切り替え操作を行わなくとも、ハンドルを移動させるだけで、簡単にハンドルが回転のするのを規制することができる。また、少ない構成部品でハンドルの回転ロックを実現することができる。
【００１０】
また、ロックの作動を意識する事無く、安全且つ簡単に装置本体を持ち運ぶ為のハンドルを実現出来る。
【発明を実施するための最良の形態】
【００１１】
（実施例１）
図１及び図２は本発明のハンドルを備えた装置の概略図である。図１はハンドルが収納位置にある状態の斜視図である。図１で示されるようにハンドルにハンドルへの力が加わらない場合、ハンドルは自重にて装置下方向へ付勢され、図１のようにハンドル収納状態の位置まで回転する。図２は図１からハンドルを図１の矢印方向に回転させ、ハンドルを持運びのための第１の位置まで回転したときの状態である。この図示された状態から、装置を持ち運ぶために装置本体を矢印Ａの方向に持ち上げることで、ハンドル及び回転軸部が矢印Ａの方向に移動し、ハンドルが固定される。矢印Ａは装置本体を持ち上げる方向であり、ユーザが装置本体を持ち上げるためにハンドルに力を加える方向である。
【００１２】
図３はハンドルが収納位置にある状態の、ハンドル回転軸部３３近傍の断面図であり、３１は装置本体の筐体外装部品である。３２はハンドル、３３はハンドルと一体的に形成される回転軸部であり、３３ａは回転軸部に一体形成される嵌合形状、３４は装置本体３１と一体的に形成される軸受け部である。回転軸部及び軸受け部は、それぞれ２つずつあり、この２つの回転軸部がハンドル回転時の回転軸を形成している。また、ハンドルは、左右対称に形成されていて、この２つの回転軸部や軸受け部も、ハンドルの回転軸方向垂直な面であり、ハンドルの中心を通る面に対して面対称な形状で配置されている。
【００１３】
図４及び図５はハンドルを収納状態の位置から持ち運びのための第一の位置へ回転移動させる途中の状態であり、ハンドル３２と回転軸部３３及び嵌合形状３３ａは一体的に回転する。ハンドル３２の収納状態から持ち運びのための第一の位置までは、回転軸部に設けられた嵌合形状３３ａと軸受け部３４とが互いに干渉し、回転軸部が回転移動以外の移動を規制している。
【００１４】
図４の位置では３３ａおよび３３ｂが軸受け部３４と干渉して、ハンドルは図上上方の装置本体の持ち上げ方向Ａへは移動できないように構成されている。ハンドルが図５の位置にある場合も、３３ａおよび３３ｂが軸受け部３４と干渉して、回転軸部３３は、図上で上方の装置本体の持ち上げ方向Ａへは移動できない。また図４及び図５で示すとおり、図上下方向へは軸と軸受けにて規制されている。図６はハンドルが持ち運びのための第一の位置にある。このとき、軸受け部３４と回転軸部に設けられた形状３３ａは互いに干渉する事無く、回転軸部３３は、軸受け部３４に対し、ハンドル持ち上げ方向Ａへの移動が可能となる。更に図示されたハンドルの場合、回転軸部に設けられた形状３３ｂの一部と、軸受けに部に設けられた３４ｂが互いに干渉することで、図６で示された位置より反時計回り（Ｂの方向）には回転できなくなっている。また、３３ａはハンドル操作中に持ち運びのための第一の位置で回転を止めるロック機能も兼ねている。このロック機能について図７を参照して説明する。
【００１５】
図７は図６で示された持ち運びのための第一の位置から、装置本体を持ち運ぼうとする操作により、Ａ方向方向にハンドルが持ち上げられたときの状態を示している。この状態において、回転軸部に設けられた嵌合形状３３ａは軸受け部に設けられた３４ａと嵌合し、ハンドル３２及び回転軸部３３の回転を規制している。
【００１６】
また、装置本体の持ち運びが終わり、ハンドルに加わっていた方向Ａの力がなくなると、ハンドルの自重により、回転軸部３３は下方向（方向Ａと逆方向）に移動する。このとき、付勢部材３５と回転軸部３３衝突し、回転軸部３３にモーメントが加わる。そのため、ハンドル３２は図７中の矢印Ｃの方向に回転し、図３のハンドル収納位置まで回転する。そのため、ユーザは持ち上げていた装置本体を所望の位置に置き、ハンドルから手を離すだけで、ハンドルは元の収納位置に移動することになる。また付勢部材３５は図３から図６のハンドル回転中には、回転軸部の回転に影響を及ぼさないように、簡単に下方向に押し下げられるようにしておくと良い。また、この付勢部材３５は、回転軸部にモーメントを加えられればよいので、図７の形状に限らない。バネ等で回転軸部に力を加えても良い。
【００１７】
このように本発明によれば、少ない部品構成で、ユーザーは本機構を意識する事無く一連の装置本体の移動作業のみで、装置本体の持ち運び時にハンドルの回転を規制することができる。
【００１８】
また、第１の実施例では、回転軸部に凸型の形状、軸受け部に凹型の形状を持たせて、この凹凸形状の嵌合によりハンドルのロックをおこなったが、回転軸部および軸受け部の形状はこれに限らない。回転軸部が移動してハンドルがロックされるような形状であればよい。そのため、回転軸部に凹形状、軸受け部に凸形状を設けても良い。この回転軸部および軸受け部の形状のその他の例は実施例３でも説明する。また、本実施例では、回転軸部側を凸、軸受け部側に凹の形状を持たせることで、ハンドルの回転時にこれらの形状により回転を阻害することなく、ハンドル回転動作がスムーズに行われるようになっている。
【００１９】
（実施例２）
図８は実施例１のようなハンドルロック機能を備えた、持運び可能なプリンター装置全体の斜視図である。９１は画像情報や印刷設定画面などを表示する表示部であり、可倒式になっている。ユーザは所望の位置まで表示部を回転させて、見やすい位置で表示装置を固定させて使用することができる。９２は印刷用紙である。また、図９は図８で示したプリンターの断面図であり、９３は用紙ケース、９４は印刷機構である。
【００２０】
実施例２のハンドルは３２は、実施例１と同様のロック機能を備える。さらに、実施例２のハンドルは、ハンドルがロックされた際に、表示部９５の可動範囲や用紙ケースと衝突しないような形状となっている。そのため、もし、ハンドルがロックされた状態のまま、表示部を用いて画像の選択や印刷設定、印刷動作等が行われたとしても、これらの動作の邪魔にならずに、スムーズにそれぞれの操作、動作を行うことができる。
【００２１】
上記実施例において、用紙ケース９３や表示部９５の可動領域を避けたハンドルの形状とした。しかし、これ以外にも、用紙搬送経路や、用紙収納部等がハンドルのロック時の位置の近傍に配置されている場合には、これらに影響を及ぼさないようなハンドルの形状としたほうがよい。このように、ハンドルの形状が複雑になったとしても、本発明のハンドルロックにより、プリンタ装置を安定させて簡単に持ち運ぶことが可能となる。
【００２２】
また、実施例２のプリンタ装置では、プリンタ装置の重心の垂直方向上に、ハンドルの実際の回転の軸となっている軸線がくるように配置されていない。そのため、このハンドルでプリンタ装置を持ち上げると、プリンタ装置は斜めに持ち上げられてしまい、とても不安定な状態になる。そこで、本発明のようなハンドルロック機能を適応することでハンドルの重心に関係なく、ハンドルをどこに配置しても安定してプリンタ装置を持ち運ぶことができ、装置に対するハンドルのレイアウトの自由度が広がる。
【００２３】
（実施例３）
図１０、図１１の装置と図１２，１３の装置は、実施例１と同様のハンドルロック機能を有するハンドルを備えた装置の概略図である。これらは、回転軸部と軸受け部の形状が実施例１とは異なっている。それ以外は実施例１と同様の構成を有している。実施例１では、回転軸部に凸型の形状、軸受け部に凹型の形状を持たせていたが、実施例３のような回転軸部、軸受け部の形状であっても実施例１と同様の効果が期待できる。
【００２４】
図１０及び図１１の装置本体１０４には、ハンドル１０３が回転可能に支持されている。このハンドルに設けられた回転軸部１０２は、円柱の曲面を２カ所を切り落とし、円柱の曲面に角を設けた形状である。１０１は装置本体１０４に設けられた軸受け部１０１である。図１０はハンドルがロックされている持運び時の状態を示し、図１１はハンドル１０３回転中の状態を示している。ハンドル回転中は、回転軸部１０２が軸受け部１０１で回転し、ハンドルが持ち運び位置まで回転されると、回転軸部１０２は軸受け部の凹形状の部分１０１ａに移動可能になる。回転軸部１０２が、持ち上げ方向に移動し、１０１ａと嵌合することにより、ハンドルの回転動作が規制され、ハンドルロック状態になる。
【００２５】
回転軸部１０２の形状は、実施例１に示した形状と比較し、回転軸部全体が軸受け部の凹形状の部分１０１ａに勘合しているため、より強固に持運び時のハンドルの位置規制ができる。また、ハンドル１０２の回転角度が１８０度未満の場合、一箇所の位置でのみ回転軸部の移動が可能となり、１８０度以上であれば二個所の位置で軸移動可能とする事が出来る。
【００２６】
図１２及び図１３の装置本体２０４には、ハンドル２０３が回転可能に支持されている。このハンドルに設けられた回転軸部２０２は、正六角形である。２０１は装置本体２０４に設けられた軸受け部２０１である。図１２はハンドルがロックされている持運び時の状態を示し、図１３はハンドル２０３回転中の状態を示している。
【００２７】
図１２はハンドル２０３回転中の状態を示している。ハンドル回転中は、回転軸部２０２が軸受け部２０１で回転し、ハンドルが持ち運び位置まで回転されると、回転軸部２０２は軸受け部の凹形状の部分２０１ａに移動可能になる。回転軸部２０２が、持ち上げ方向に移動し、２０１ａと嵌合することにより、ハンドルの回転動作が規制され、ハンドルロック状態になる。
【００２８】
回転軸部２０２の形状は、正多角形の形状であるため、一定の角度位置で回転軸部の移動ができる。例えば、図１３はハンドル回転中の状態を表した図であるが、この場合にもハンドルは方向Ａに移動可能になっている。そのため、複数位置で軸移動を行いハンドルロックを可能な構成にする場合によい。
【００２９】
（実施例４）
実施例４では、実施例１から３で説明したハンドルロック機能をもつプリンタについて説明する。本実施例のプリンタでは、ハンドルの位置に応じてプリンタの各種動作の制御をおこなったり、また、プリンタの動作状況に応じて、ハンドルの回転や回転軸部の移動を規制する制御を行う。
【００３０】
本実施例のプリンタは実施例１と同様のハンドルロック機能を持つとする。
まず、本実施例のプリンタ４００について説明する。
【００３１】
図１４はプリンタ４００のブロック図である。
【００３２】
４０１はＣＰＵであり、プリンタ４００の全体制御を司る制御部である、また、この制御部は不図示のメモリからプログラムを読み出し、読み出したプログラムに基づいて、各ブロックの制御や演算処理等を行う。
【００３３】
４０２はＩＯ制御部であり、プリンタに装着されたメモリカード４０３に記録されているデータを読み出す制御を行う。
【００３４】
４０４は、ハンドル位置検出部であり、回転軸部３３または軸受け部３４に設けられたハンドル位置検出センサ（不図示）により、ハンドル位置を検出する。
【００３５】
４０５は、ハンドルが収納位置から回転しないようにさせるためのハンドル制御部である。
【００３６】
４０６は印刷部で、ＩＯ制御部４０２によって読み出されたメモリカード４０３に記憶されている画像の印刷を行う。印刷部は、ＩＯ制御部から送られた画像データを印刷データに変換し、サーマルヘッド（不図示）によりインクを記録紙に転写して画像の印刷を行う。また印刷時の、記録紙の給紙や排紙なども行う。
【００３７】
４０７はＬＣＤ等の表示部で、ＩＯ制御部４０２によって読み出されたメモリカード４０３に記憶されている画像や印刷設定画面等の表示を行う。
【００３８】
４０８は操作部で、ユーザにより操作ボタン（不図示）に入力された指示を解析して制御部に伝える。制御部４０１はこの操作部４０８からの指示入力に応じて各ブロックに命令を出して各ブロックを制御する。
【００３９】
このプリンタでは、ユーザは表示部４０７に表示された画像を見ながら操作部４０８を操作して、画像印刷の指示を行う。印刷指示が入力されると印刷対象の画像データを読み出し、印刷部で印刷画像の印刷を行う。この印刷実行に、ハンドルが持ち上げられプリンタ４００が持ち運ばれてしまうと、持ち上げ時や持ち運び時の振動などが、給紙処理、排紙処理、印刷処理に影響を及ぼし、印刷画質の低下や、記録紙のジャムが発生してしまうおそれがある。そこで、本実施例では、これらの処理が始まると、ハンドル制御部４０５は、ハンドルが収納位置から回転しないようにハンドルの回転を規制する。回転規制方法としては、例えば図１５のように、回転防止部材３０５を設ける。回転防止部材３０５は、通常のハンドル回転時には、図１５のＤの位置に退避しているが、印刷処理等が開始されると、図１５で示される位置に配置され、ハンドル３０３に一体的に設けられた回転軸部３０２の回転を規制する。また、軸受け部の凹部を塞ぎ、回転軸部がロックされないようにしても良い。
【００４０】
また、ハンドル位置検出部４０４がハンドル３０３の位置を検出し、ハンドルが持ち上げ位置にあると検出された場合には、ユーザから操作部４０８へ印刷指示が入力されても、プリンタ４００は印刷動作（給紙処理、排紙処理、印刷処理等）を開始しない。持ち上げ位置にあり、さらにハンドルロックされているときも同様に印刷動作は開始されない。さらに、ハンドルが持ち上げ位置にあり、印刷動作が開始されないことを表示部４０７に表示させ、ユーザに通知する。後に、ハンドルが収納位置にまで戻されたら、ハンドル検出部４０４がこれを検出し、印刷指示を自動的に開始させる、もしくは、ユーザに印刷確認をして印刷指示が入力されたら印刷を開始する。
【００４１】
このような構成により、印刷動作時にハンドルが持ち上げ状態あり、プリンタが持ち運ばれてしまうのを防ぐことができるので、持ち運びによる記録紙のジャムや印刷画質の低下を防ぐことができる。
【００４２】
＜その他の実施例＞
上記実施例では、プリンタ装置のハンドルロック機構ついて説明したが、本発明のハンドルロック機構は、プリンタ以外の他の製品にも適応できる。製品を持ち上げるための回転可動式のハンドルを持つ全ての物について同様の効果が得られる。
【図面の簡単な説明】
【００４３】
【図１】本発明の実施例に係る装置全体の概略図である。
【図２】ハンドルを持運びのため位置まで回転したときの状態を示す図である。
【図３】ハンドルの収納状態を示す図である。
【図４】ハンドルの回転移動状態を示す図である。
【図５】ハンドルの回転移動状態を示す図である。
【図６】ハンドルは持運びのため位置にある状態を示す図である。
【図７】ハンドルがロックされている状態を示す図である。
【図８】本発明の実施例２に係るプリンタの概略図である。
【図９】本発明の実施例２に係るプリンタの断面図である。
【図１０】実施例３に係るハンドルのロック状態を示す図である。
【図１１】実施例３に係るハンドルの回転移動状態を示す図である。
【図１２】実施例３に係るハンドルのロック状態を示す図である。
【図１３】実施例３に係るハンドルの回転移動状態を示す図である。
【図１４】実施例４に係るプリンタ４００のブロック図である。
【図１５】実施例４に係るプリント動作時のハンドルロック状態を示す図である。
【符号の説明】
【００４４】
３１  装置本体
３２  ハンドル
３３  回転軸部
３４  軸受け部
９１  可倒式表示部
９２  印刷用紙
９３  用紙ケース
９４  印刷機構
９５  可倒式表示部の可動範囲
１０１  軸受け部
１０２  回転軸部
１０３  ハンドル
１０４  装置本体
２０１  軸受け部
２０２  回転軸部
２０３  ハンドル
２０４  装置本体
４０１  制御部
４０２  ＩＯ制御部
４０３  メモリカード
４０４  ハンドル位置検出部
４０５  ハンドル制御部
４０６  印刷部
４０７  表示部
４０８  操作部
【図１】
2008053357.tif 000003
【図２】
2008053357.tif 000004
【図３】
2008053357.tif 000005
【図４】
2008053357.tif 000006
【図５】
2008053357.tif 000007
【図６】
2008053357.tif 000008
【図７】
2008053357.tif 000009
【図８】
2008053357.tif 000010
【図９】
2008053357.tif 000011
【図１０】
2008053357.tif 000012
【図１１】
2008053357.tif 000013
【図１２】
2008053357.tif 000014
【図１３】
2008053357.tif 000015
【図１４】
2008053357.tif 000016
【図１５】
2008053357.tif 000017